(57)【特許請求の範囲】
【請求項１】
両側一対の支柱２を連結して方形状に形成された少くとも両側一対の支保枠部材１ａ・１５ａが所定間隔をおいて配設され、該両側の支保枠部材１ａ・１５ａ上には各々同形状とされた所要数の支保枠部材１ｂ・１ｃ・１ｄ・１５ｂ・１５ｃ・１５ｄが順次ヒンジ部材６を介して折畳み自在に連結され、両側に各々対向する支保枠部材１ａ・１ｂ・１ｃ・１ｄ・１５ａ・１５ｂ・１５ｃ・１５ｄの上端部には方形状の間隔規制枠部材７が折畳み方向に回動自在に連結されると共に、両側に各々対向する支保枠部材１ａ・１ｂ・１ｃ・１ｄ・１５ａ・１５ｂ・１５ｃ・１５ｄの両側には筋かい１４が取付け自在とされてなり、組立て時には最上部より間隔規制枠部材７でもって間隔を規制せしめつつ両側の支保枠部材１ａ・１ｂ・１ｃ・１ｄ・１５ａ・１５ｂ・１５ｃ・１５ｄを順次起立せしめてその両側を筋かい１４により連結せしめて組立て、折畳み時には最下部より順次筋かい１４を取外し、間隔規制枠部材７により間隔を規制せしめつつ両側の支保枠部材１ａ・１ｂ・１ｃ・１ｄ・１５ａ・１５ｂ・１５ｃ・１５ｄを折畳むべく構成されてなることを特徴とする、支保工。
【請求項２】
両側に各々対向する各支保枠部材１ａ・１ｂ・１ｃ・１ｄ・１５ａ・１５ｂ・１５ｃ・１５ｄの一方に所要の長さを備えた階段８が折畳み方向に回動自在に組付けられてなることを特徴とする、請求項１記載の支保工。
【発明の詳細な説明】
【０００１】
【発明の属する技術分野】
本発明は、橋梁工事、各種建築工事、あるいは土木工事等において、所要の橋桁や大トラス等の重量物を架設せしめるさいに使用する折畳み自在な支保工に関する。
【０００２】
【従来の技術】
従来より、この種の折畳み自在とされた支保工としては、両側一対の支柱を連結して方形状に形成された両側一対の支保枠部材間に折曲げ自在とされた床部材が回動自在に架設され、該支保枠部材の両側には各々伸縮筋かいが交差状に枢着されると共に、支保枠部材の上端部両側には横杆が取付け自在とされたものが知られている（特開平９−１９５５３０号公報参照）。
そして、上述の如く構成された従来の支保工を組立てるさいには、両側の支保枠部材をクレ−ン等により吊上げ、両側の伸縮筋かいを伸長せしめてロックすると共に、床部材をフラット面状に連結せしめ、かつ、両側支保枠部材の上端部両側を横杆により連結して組立てたのち、クレ−ン等により吊上げて起立せしめるものとされている。
逆に、折畳むさいには、クレ−ン等により吊上げて横倒せしめたのち、横杆を取外し、伸縮筋かいのロックを解除せしめると共に、床部材の連結を解除せしめる。そして、支保枠部材の自重により伸縮筋かいを縮退せしめると共に、床部材を折曲げて折畳むものとされている。
【０００３】
【発明が解決しようとする課題】
上述の如く構成された従来例は、確実に組立て、また、折畳むことが出来る反面、以下の問題点を有するものである。
まず第１に、両側の支保枠部材は伸縮筋かいと折曲げ自在な床部材とにより連結されているから、組立て時においては自由に伸縮筋かいが伸縮作動すると共に、床部材が折曲げ作動するものである。このため、伸縮筋かいの伸長時におけるロック操作や床部材の連結操作のみならず、横杆の取付け作業が非常に面倒で手間がかかり、全体として組立て作業能率が非常に悪いものである。
第２に、組立て時にはクレ−ン等により吊上げて組立てたのち、更に吊上げて起立せしめなければならず、組立て作業が非常に面倒で手間がかり、極めて作業能率が悪いものであった。また、折畳み時においても同様である。
第３に、必要に応じて支保工を多層構成せしめる場合には、一々支保工上に同形状の支保工を積上げ、支保工を構成する支柱を連結しなければならず、その作業が非常に面倒で手間がかかるものであり、折畳み時においても同様である。
第４に、両側の支保枠部材は伸縮筋かいおよび折曲げ自在な床部材を介して折畳むものとされているから、両側支保枠部材の折畳みに連動する階段を組付けることが出来ず、ひいては、組立て時において後発的に組付けなければならないものであって、非常に面倒である。
【０００４】
本発明はかかる従来例の問題点を解決し、必要に応じて容易に多層構成せしめることが出来るのみならず、非常に容易に、しかも、迅速、かつ、強固に能率よく組立て、また、折畳むことが出来る支保工を提供しようとするものである。
【０００５】
【課題を解決するための手段】
即ち、請求項１記載の発明は、両側一対の支柱２を連結して方形状に形成された少くとも両側一対の支保枠部材１ａ・１５ａが所定間隔をおいて配設され、該両側の支保枠部材１ａ・１５ａ上には各々同形状とされた所要数の支保枠部材１ｂ・１ｃ・１ｄ・１５ｂ・１５ｃ・１５ｄが順次ヒンジ部材６を介して折畳み自在に連結され、両側に各々対向する支保枠部材１ａ・１ｂ・１ｃ・１ｄ・１５ａ・１５ｂ・１５ｃ・１５ｄの上端部には方形状の間隔規制枠部材７が折畳み方向に回動自在に連結されると共に、両側に各々対向する支保枠部材１ａ・１ｂ・１ｃ・１ｄ・１５ａ・１５ｂ・１５ｃ・１５ｄの両側には筋かい１４が取付け自在とされてなり、組立て時には最上部より間隔規制枠部材７でもって間隔を規制せしめつつ両側の支保枠部材１ａ・１ｂ・１ｃ・１ｄ・１５ａ・１５ｂ・１５ｃ・１５ｄを順次起立せしめてその両側を筋かい１４により連結せしめて組立て、折畳み時には最下部より順次筋かい１４を取外し、間隔規制枠部材７により間隔を規制せしめつつ両側の支保枠部材１ａ・１ｂ・１ｃ・１ｄ・１５ａ・１５ｂ・１５ｃ・１５ｄを折畳むべく構成されてなることを特徴とする、支保工を要旨とするものである。
【０００６】
請求項２記載の発明は、両側に各々対向する各支保枠部材１ａ・１ｂ・１ｃ・１ｄ・１５ａ・１５ｂ・１５ｃ・１５ｄの一方に所要の長さを備えた階段８が折畳み方向に回動自在に組付けられてなることを特徴とする、請求項１記載の支保工を要旨とするものである。
【０００７】
【発明の実施の形態】
以下に、本発明の実施の形態を図面に示す一実施例に基づいて説明する。
図１乃至図１１は本発明の一実施例を示すもので、同図中、１ａは所定間隔をおいて配設された両側一対の方形状下部支保枠部材、２は該両側の各下部支保枠部材１ａを構成する所要の長さを備えた両側一対の金属パイプ製支柱、３は該両側支柱２の上下端に放射状に突設された取付け部材、４は該取付け部材３を介して両側支柱２の上端部を連結せしめる水平つなぎ材、５は取付け部材３を介して両側の支柱２を交差状に連結せしめる一対の筋かいである。１ｂは両側の各下部支保枠部材１ａ上に各々ヒンジ部材６を介して所定方向に折畳み自在に連結された両側一対の上部支保枠部材で、該上部支保枠部材１ｂは下部支保枠部材１ａと同形状に形成されている。７は両側の上部支保枠部材１ｂ及び下部支保枠部材１ａの上端部に各々水平つなぎ材４を介して折畳み方向に回動自在に架設された方形状の間隔規制枠部材で、該間隔規制枠部材７は両側の上部支保枠部材１ｂ及び下部支保枠部材１ａの間隔を各々常に一定に規制して保持せしめると共に、後記する開閉足場板１３が架設されている。８は上部支保枠部材１ｂ及び下部支保枠部材１ａの水平つなぎ材４に各々つかみ金具９を介して折畳み方向に回動自在に組付けられた階段で、該各階段８は２条の桁部材により平行リンク状に構成された両側一対の側桁１０と、２条の桁部材に各々枢着せしめることにより両側桁１０間に所定間隔をおいて配設された所要長の踏板１１とより構成され、該各踏板１１により規制せしめつつ２条の各桁部材が折畳み自在とされている。１２は上記階段８の両側に折畳み自在に配設された手摺である。その他、１３は前記間隔規制枠部材７に架設された開閉足場板、１４は両側の上部支保枠部材１ｂ及び両側の下部支保枠部材１ａに取付け部材３を介して各々交差状に取付け自在とされた一対の筋かいである。
【０００８】
上述の如く構成された実施例は、使用時には図１乃至図４に示すように組立てて使用に供し、不使用時には図５及び図６に示すように折畳むことが出来るものである。
【０００９】
そこで、先ず、実施例の組立て状態を図７乃至図１１に基づいて説明する。
先ず、図７に示すように、折畳んだ状態下にある上部支保枠部材１ｂの支柱２をクレ−ン等により吊上げる。すると、水平つなぎ材４を回転支軸として両側の上部支保枠部材１ｂがヒンジ部材６を介して図８に矢印で示す方向に起立を開始する。そして、両側の上部支保枠部材１ｂが起立した時点で吊上げを停止せしめ、水平つなぎ材４を回転支軸として上部側の階段８を自動的に回動せしめ、その下端部を開閉足場板１３上に接地せしめたのち、両側の上部支保枠部材１ｂ両側に取付け部材３を介して各々筋かい１４を交差状に取付けて連結せしめる（図９参照）。筋かい１４の取付けが完了すると、さらに上部支保枠部材１ｂの支柱２を吊上げる。すると、水平つなぎ材４を回転支軸として両側の下部支保枠部材１ａがヒンジ部材６を介して図１０に矢印で示す方向に自動的に回動しつつ起立を開始する。そして、両側の下部支保枠部材１ａが完全に起立した時点で吊上げを停止せしめ、水平つなぎ材４を回転支軸として下部側の階段８を回動せしめ、その下端部を地面に接地せしめると共に、両側の下部支保枠部材１ａ両側に取付け部材３を介して各々筋かい１４を交差状に取付けて連結せしめ、組立てを完了する（図１乃至図４、及び図１１参照）。
【００１０】
逆に、折畳むさいには、上部支保枠部材１ｂの支柱２をクレ−ン等により吊上げて若干浮上り状に吊設支持せしめる。そして、両側の下部支保枠部材１ａより筋かい１４を取外したのち、両側の下部支保枠部材１ａ下端部を各々地面に接地せしめつつ吊降し、下端側の間隔規制枠部材７により両側の下部支保枠部材１ａを所定間隔に規制せしめつつヒンジ部材６を介して折曲げ、横倒し状に接地せしめた時点で吊降しを停止せしめる。このさい、下部側の階段８は水平つなぎ材４を回転支軸として回動し、両側の下部支保枠部材１ａ間に折込まれる。次いで、両側の上部支保枠部材１ｂより筋かい１４を取外す。しかるのち、上部支保枠部材１ｂの支柱２を更に吊降し、両側の上部支保枠部材１ｂを間隔規制枠部材７によりその間隔を規制せしめつつ、ヒンジ部材６を介して対応する下部支保枠部材１ａ上に折重ね、折畳みを完了する（図５〜図７参照）。
【００１１】
なお、上記実施例は上下部支持枠部材１ａ・１ｂの２層構成とされているが、これに限定されるものでなく、多層構成、例えば、図１２及び図１３に示すように、両側一対の方形状支保枠部材１ａ・１ｂ・１ｃ・１ｄにより４層構成にしてもよく、また、図１４及び図１５に示すように、３対の方形状支保枠部材１５ａ・１５ｂ・１５ｃ・１５ｄにより４層構成にしてもよいものである。更に、実施例を１ユニットとして適宜ヒンジ部材６により連結し、多対・多層状に構成してもよいものである。
【００１２】
【発明の効果】
請求項１記載の発明は上述のように構成されているから、組立て時には最上部より間隔規制枠部材７でもって間隔を規制せしめつつ両側の支持枠部材１ａ・１ｂ・１ｃ・１ｄ・１５ａ・１５ｂ・１５ｃ・１５ｄを順次起立せしめると共に、その両側を筋かい１４により連結せしめて組立て、折畳み時には最下部より順次筋かい１４を取外し、間隔規制枠部材７により間隔を規制せしめつつ両側の支保枠部材１ａ・１ｂ・１ｃ・１ｄ・１５ａ・１５ｂ・１５ｃ・１５ｄを折畳むことが出来るものであって、ひいては、非常に容易に、しかも、迅速、かつ強固に能率よく組立て、また、折畳むことが出来るのみならず、必要に応じて適宜ヒンジ部材６を介して連結せしめることにより地上作業のみで高層支保工を設置せしめることが出来るものである。
【００１３】
請求項２記載の発明は上述のように構成されているから、隣合う両側の支保枠部材１ａ・１ｂ・１ｃ・１ｄ・１５ａ・１５ｂ・１５ｃ・１５ｄの組立てに連動して回動せしめつつ自動的にセットせしめることが出来るのみならず、折畳み時には隣あう両側の支保枠部材１ａ・１ｂ・１ｃ・１ｄ・１５ａ・１５ｂ・１５ｃ・１５ｄ間に折込み状に保持せしめることが出来るものであって、従来例のように、組立て時に組付ける必要は全くないものである。
【図面の簡単な説明】
【図１】本発明の一実施例を示す組立てた状態の正面図である。
【図２】図１のＡ−Ａ線に沿う矢視図である。
【図３】図１の側面図である。
【図４】実施例の階段８を上部支保枠部材１ｂに組付けた状態を示す側面図である。
【図５】本発明の一実施例を示す折畳んだ状態の平面図である。
【図６】図５の側面図である。
【図７】実施例の上下部支保枠部材１ａ・１ｂを折畳んだ状態を示す概略側面図である。
【図８】実施例の上部支保枠部材１ｂを起立せしめる状態を示す概略側面図である。
【図９】実施例の上部支保枠部材１ｂを起立せしめた状態を示す概略側面図である。
【図１０】実施例の下部支保枠部材１ａを起立せしめた状態を示す概略側面図である。
【図１１】実施例の上下部支保枠部材１ａ・１ｂを起立して組立てた状態を示す概略側面図である。
【図１２】本発明の変形例を示す組立てた状態の側面図である。
【図１３】図１２の変形例を折畳んだ状態の側面図である。
【図１４】本発明の他の変形例を示す組立てた状態の側面図である。
【図１５】図１４の変形例を折畳んだ状態の側面図である。
【符号の説明】
１ａ・１ｂ・１ｃ・１ｄ  支保枠部材
２  支柱
６  ヒンジ部材
７  間隔規制枠部材
８  階段
１４  筋かい
１５ａ・１５ｂ・１５ｃ・１５ｄ  支保枠部材
【図１】
0004387600.tif 000002
【図２】
0004387600.tif 000003
【図３】
0004387600.tif 000004
【図４】
0004387600.tif 000005
【図５】
0004387600.tif 000006
【図６】
0004387600.tif 000007
【図７】
0004387600.tif 000008
【図８】
0004387600.tif 000009
【図９】
0004387600.tif 000010
【図１０】
0004387600.tif 000011
【図１１】
0004387600.tif 000012
【図１２】
0004387600.tif 000013
【図１３】
0004387600.tif 000014
【図１４】
0004387600.tif 000015
【図１５】
0004387600.tif 000016